(57)【要約】【課題】  本発明は、皮膚に接触しても違和感がなく、見栄えもよく、金属アレルギーを起こす人も使用でき、磁石表面に錆が発生するおそれがない磁気治療具を提供するものである。【解決手段】本発明に係る磁気治療具Ａは、貼付シート１０と永久磁石粒２０と剥離紙３０とからなり、貼付シートは、一方の面が粘着層１１を有する粘着面であり、前記永久磁石粒は、高さの低い小円柱の形態をなし、その表面に金メッキ層１１を有するものであって、永久磁石粒が貼付シートの粘着面に接着され、剥離紙は、永久磁石粒を露出させるための貫通穴３１が形成され、永久磁石粒を貫通穴から露出させて、貼付シートの粘着面の全面に対して接着されていることを特徴とする。【選択図】  図５
2018029636.tif 000002
【特許請求の範囲】
【請求項１】
貼付シートと永久磁石粒と剥離紙とからなり、
前記貼付シートは、一方の面が粘着層を有する粘着面であり、
前記永久磁石粒は、高さの低い平板状の形態をなし、その表面に金メッキ層を有するものであって、当該永久磁石粒の平板状の底面又は上面のいずれか一方が前記貼付シートの粘着面に接着されており、
剥離紙は、貼付シートに接着されている
ことを特徴とする磁気治療具。
【請求項２】
前記剥離紙は、前記永久磁石粒を露出させるための貫通穴を備え、前記貼付シートの粘着面における永久磁石粒が貼付されている個所を除く全面を覆うように接着され、
剥離紙の外縁から前記貫通穴に達する切り込みが形成されている
ことを特徴とする請求項１に記載の磁気治療具。
【請求項３】
前記永久磁石粒は、これを構成する永久磁石本体の磁束密度が、１７０ｍＴ以上２００ｍＴ以下である
ことを特徴とする請求項１又は２に記載の磁気治療具。
【発明の詳細な説明】
【技術分野】
【０００１】
本発明は、磁気治療具に関し、特に身体に直接貼付して使用する家庭用の磁気治療具に関する。
【背景技術】
【０００２】
人体の表面には多くの経穴が分布しており、この経穴を刺激することにより、血液の循環がよくなり、頭の回転が促進され、疲労回復、肩こり解消、ストレス解消の他、自律神経の働きを活発化し、内臓を丈夫にし、健康増進を図ることができるといわれている。
【０００３】
上記の経穴を刺激する治療具として、従来より、永久磁石を粘着シートに接着したものを人体の皮膚に貼付し、磁石から出る磁力により経穴を刺激する磁気治療具が知られている。
【発明の概要】
【発明が解決しようとする課題】
【０００４】
しかしながら、上記従来の磁気治療具は、永久磁石の皮膚に対する接触感が悪く、また、皮膚に貼付する際に永久磁石そのものが露出するために見た感じが悪く、さらに、金属アレルギーを起こす人は使用できず、さらにまた、磁石表面に錆が発生するおそれがあった。
【０００５】
そこで、本発明者は、鋭意研究した結果、皮膚に対する接触感が良好であり、見栄えもよく、金属アレルギーを起こす人も使用でき、磁石表面に錆が発生するおそれがない磁気治療具を開発した。
【課題を解決するための手段】
【０００６】
本発明に係る磁気治療具は、貼付シートと永久磁石粒と剥離紙とからなり、前記貼付シートは、一方の面が粘着層を有する粘着面であり、前記永久磁石粒は、高さの低い平板状の形態をなし、その表面に金メッキ層を有するものであって、当該永久磁石粒の平板状の底面又は上面のいずれか一方が前記貼付シートの粘着面に接着されており、剥離紙は、貼付シートに接着されていることを特徴とする。
【０００７】
また、上記の磁気治療具の構成に加え、前記剥離紙は、前記永久磁石粒を露出させるための貫通穴を備え、前記貼付シートの粘着面における永久磁石粒が貼付されている個所を除く全面を覆うように接着され、剥離紙の外縁から前記貫通穴に達する切り込みが形成されている構成としてもよい。
【０００８】
さらに上記の各構成に加え、前記永久磁石粒は、これを構成する永久磁石本体の磁束密度が、１７０ｍＴ以上２００ｍＴ以下である構成としてもよい。
【発明の効果】
【０００９】
本発明に係る磁気治療具は、磁石が有する本来の効果、例えば装着部位のこりの解消及び血行の改善の他、磁気治療具を形成する永久磁石粒の表面に金メッキ層を有するために、皮膚に対しての接触が滑らかであり、見栄えもよく、商品価値が高い磁気治療具を提供することができる。しかも、永久磁石が直接皮膚に接することで金属アレルギーを起こす人であっても、本発明に係る磁気治療具の永久磁石粒は、その表面に金メッキ層を有するため、金属アレルギーを防止できると共に永久磁石粒表面における錆の発生を防止することができる。
【００１０】
また、貫通穴及び切り込みを有する剥離紙を使用することにより、剥離紙を貼付シートから容易に剥がすことができて便利である。
【００１１】
さらに、永久磁石本体の磁束密度を１７０ｍＴ以上２００ｍＴ以下としたことにより、家庭で使用する治療具としての身体への安全性が確保され、かつ、精密機器や磁気カードに対して悪影響を及ぼす可能性を少なくすると共に最大の治療効果が得られる利点がある。
【図面の簡単な説明】
【００１２】
【図１】実施例１に係る磁気治療具の分解斜視図である。
【図２】実施例１に係る磁気治療具の剥離紙側から見た斜視図である。
【図３】実施例１に係る磁気治療具において、剥離紙を剥がす状態を示す斜視図である。
【図４】実施例１に係る磁気治療具の貼付シート側から見た斜視図である。
【図５】図４におけるＶ−Ｖ線拡大断面図である。
【図６】図４におけるＶＩ-ＶＩ線拡大断面図である。
【図７】実施例１に係る磁気治療具における永久磁石粒の拡大縦断面図である。
【図８】実施例１に係る磁気治療具を複数配置した製品としての完成品の斜視図である。
【発明を実施するための形態】
【００１３】
以下、本発明に係る磁気治療具の好適な実施例を添付の図面に基づいて詳細に説明する。
【実施例１】
【００１４】
本実施例における磁気治療具Ａは、図１に示すように、一方の面が粘着面である貼付シート１０と、永久磁石粒２０と、剥離紙３０とから形成される。磁気治療具Ａは、貼付シート１０の粘着面に矢符ａで示すように永久磁石粒２０を貼り付け、永久磁石粒２０を貼り付けた貼付シート１０の粘着面に矢符ｂで示すように剥離紙３０を貼り付けることにより、図２に示す形態の磁気治療具Ａが完成する。
【００１５】
剥離紙３０は、図１に示すように、永久磁石粒２０を露出させるための貫通穴３１が形成されており、図２に示すように、永久磁石粒２０を貫通穴３１から露出させ、貼付シート１０の永久磁石粒２０を貼付した個所を除く粘着面の全面を覆うように剥離紙３０が接着されている。
【００１６】
また、剥離紙３０は、その外縁から貫通穴３１に達する切り込み３２が形成されており、図３に示すように、切り込み３２を利用すると剥離紙３０の一部を容易に捲り上げることができ、剥離紙３０を切り込み３２から剥がしていくと貫通穴３１に達すると共に貫通穴３１の周囲の剥離紙３０が剥がれていくので、剥離紙３０が破断することなく貼付シート１０から剥離紙３０を容易に剥がすことができるようになっている。
【００１７】
なお、図２における磁気治療具Ａは、剥離紙３０側が上になっているが、磁気治療具Ａの通常の形態としては、図４に示すように、貼付シート１０側が上になり、例えば、図８に示すように、横に２つ、縦に３つの合計６つの磁気治療具Ａが剥離紙３０上に配列した状態が製品としての完成品Ｂとなる。
【００１８】
貼付シート１０は、図５及び図６に示すように、その一方の面が粘着面となる粘着層１１を有しており、この粘着面に永久磁石粒２０及び剥離紙３０が貼付される。
【００１９】
永久磁石粒２０は、高さの低い小円柱、いわゆる円板状の形態をなすものであって、永久磁石本体２１の表面に金メッキ層２２を有するものである。本実施例においては、永久磁石粒２０は、直径が５ｍｍで厚みが１ｍｍの円板状をなし、ネオジウム磁石よりなる永久磁石本体２１に、図７に示すように、２４金のメッキ加工により金メッキ層２２を形成したものである。なお、永久磁石粒２０の大きさ及び形状は上記のものに限られるものではなく、多角形や楕円形の平板状のものであってもよい。また、永久磁石本体２１は、ネオジウム磁石に限られるものではなく、フェライト磁石を使用してもよいが、高い磁気エネルギー積を有し、安定した磁束密度を有する磁石としてはネオジウム磁石が優れている。永久磁石粒２０の磁束密度は、本発明の治療具としての効果を発揮するためには、家庭で使用する治療具としての身体への安全性を確保し、周囲環境における時計や携帯電話等の精密機器や磁気カードへの悪影響がないように配慮して１７０ｍＴ以上２００ｍＴ以下の磁束密度を有するものが好ましい。また、金メッキについては２４金の金メッキに限られるものではなく、１８金の金メッキでもよい。
【００２０】
そして、円板状をなす永久磁石粒２０の底面又は上面のいずれか一方が貼付シート１０の粘着面に接着される。なお、作業性をよくするために、永久磁石粒２０のＮ極側が皮膚に接し、Ｓ極側が貼付シート１０に貼付されるように統一して製造する。
【００２１】
貼付シート１０は、直径が２２ｍｍの円形の積層シートにより構成される。貼付シート１０は、その外面側が布地で形成され、粘着面側は、磁石との併用効果を期待してチタン粉、例えばチタンカーボナイトライド粉を塗工して、変性ポリイソシアネートや酢酸エチル等の硬化剤により硬化し、粘着剤としてアクリル酸エステル共重合樹脂を塗布したものである。なお、外面側のシートの材質及び粘着面側の材質及び粘着剤は上記したものに限られるものではない。
【００２２】
そして、上記の磁気治療具Ａは、剥離紙３０を剥がし、貼付シート１０を人体の皮膚表面に貼ることにより、貼付シート１０の粘着面中央部に接着された円板状の永久磁石粒２０が皮膚表面に固定される。
【００２３】
以上のように構成した磁気治療具Ａは、これを形成する永久磁石粒２０の表面に金メッキ層２２を有するために、皮膚に対しての接触が滑らかであり、見栄えもよく、商品価値が高い磁気治療具を提供することができる。しかも、永久磁石粒２０が直接皮膚に接することで金属アレルギーを起こす人であっても、永久磁石粒２０の表面に金メッキ層２２を有するため、金属アレルギーを防止できると共に磁石表面における錆の発生を防止することができる。
【００２４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２５】
Ａ・・・磁気治療具
Ｂ・・・完成品
１０・・貼付シート
１１・・粘着層
２０・・永久磁石粒
２１・・永久磁石本体
２１・・金メッキ層
３０・・剥離紙
３１・・貫通穴
３２・・切り込み
【図１】
2018029636.tif 000003
【図２】
2018029636.tif 000004
【図３】
2018029636.tif 000005
【図４】
2018029636.tif 000006
【図５】
2018029636.tif 000007
【図６】
2018029636.tif 000008
【図７】
2018029636.tif 000009
【図８】
2018029636.tif 000010